(57)【要約】【課題】表示装置の製造時又はリワーク時において、上フレームを下フレームから容易に取り外すことができる表示装置を提供することを目的とする。【解決手段】画像を表示する表示面を備えた表示パネルと、表示パネルの下方に設けられたバックライトと、表示パネルの上方において表示面を囲む第１の縁部と、第１の縁部に設けられ、表示面と直交する方向に延びる第１の側板部とを備える第１のフレームと、バックライトの透光面を囲む第２の縁部と、第２の縁部に設けられ第１の側板部の内面と対面する第２の側板部とを備える第２のフレームとを有し、第１の側板部は、第２の側板部に向かって突出する第１の突出部を有し、第２の側板部は、第１の突出部と対向する位置に、第２の側板部の下方に向かって開放する切り欠き部を有し、切り欠き部の内周面の下面と第１の突出部の上面とが対向する。【選択図】図４
2016105167.tif 000002
【特許請求の範囲】
【請求項１】
画像を表示する表示面を備えた表示パネルと、
前記表示パネルの下方に設けられたバックライトと、
前記表示パネルの上方において前記表示面を囲む第１の縁部と、前記第１の縁部に設けられ、前記表示面と直交する方向に延びる第１の側板部とを備える第１のフレームと、
前記バックライトの透光面を囲む第２の縁部と、前記第２の縁部に設けられ前記第１の側板部の内面と対面する第２の側板部とを備える第２のフレームとを有し、
前記第１の側板部は、前記第２の側板部に向かって突出する第１の突出部を有し、前記第２の側板部は、前記第１の突出部と対向する位置に、前記第２の側板部の下方に向かって開放する切り欠き部を有し、
前記切り欠き部の内周面の下面と前記第１の突出部の上面とが対向する表示装置。
【請求項２】
前記第１の突出部の上面は、前記第１の側板部と略平行な方向に延びる第１の主面と、前記第１の主面と前記第１の側板部とを繋いでいる第１の接続面とを有する請求項１に記載の表示装置。
【請求項３】
前記第２の側板部は、前記第１の側板部に向かって突出する第２の突出部を備え、
前記切り欠き部は前記第２の突出部の下に設けられて、前記切り欠き部の内周面は、前記第２の突出部の下面と連続し、かつ、前記第２の側板部の下面と連続している請求項１又は請求項２に記載の表示装置。
【請求項４】
前記第２の突出部の下面は、前記第２の側板部と略平行な方向に延びる第２の主面と、前記第２の主面と前記第２の側板部とを繋いでいる第２の接続面とを有する請求項３に記載の表示装置。
【請求項５】
前記切り欠き部の幅は、前記第２の突出部の幅よりも大きい請求項３又は請求項４に記載の表示装置。
【請求項６】
前記バックライトを収納するケースを備え、
前記ケースは、底部と、前記底部から上方に延出し、前記第２の側板部の内面と対向する平坦な板状の側壁と、を有する請求項３に記載の表示装置。
【請求項７】
前記側壁の上端部は、前記第２の突出部と前記第２の側板部との境界よりも上方に位置する請求項６に記載の表示装置。
【請求項８】
前記第２の側板部の下面は、前記底部の上面の高さ位置よりも上方に位置する請求項６又は請求項７に記載の表示装置。
【請求項９】
前記第１の側板部は開口部を有し、前記開口部の内周面は、前記第１の突出部の上面と連続している請求項１から請求項８のいずれか１項に記載の表示装置。
【請求項１０】
前記開口部の幅は、前記第１の突出部の幅よりも大きい請求項９に記載の表示装置。
【請求項１１】
前記第１のフレームは、平面視で対向する２つの長辺部と、対向する２つの短辺部とを有する矩形状であり、前記第１の突出部は、前記長辺部の少なくとも１方に設けられている請求項１から請求項１０のいずれか１項に記載の表示装置。
【発明の詳細な説明】
【技術分野】
【０００１】
本発明は、第１のフレームが第２のフレームに固定される表示装置に関する。
【背景技術】
【０００２】
下記特許文献１には、液晶表示パネルと、バックライトと、バックライトを収納する下フレームと、液晶表示パネル及び下フレームを覆うように配置された上フレームとを有する液晶表示装置が記載されている。特許文献１の液晶表示装置は、上フレームと下フレームとが嵌合して固定されており、上フレームと下フレームとの内部に、液晶表示装置及びバックライトが組み込まれる。
【０００３】
上フレームと下フレームは、それぞれ４辺の周囲に側壁を有しており、上フレームの側壁の内面と、下フレームの側壁の外面とが対面する。上フレームの４辺のそれぞれの側壁には、２個のツメ部が設けられており、各ツメ部は下フレームの側壁側に折り曲げられている。また、下フレームの側壁には、各ツメ部と向かい合う位置に開口部が形成されている。上フレームのツメ部が下フレームの開口部に係止されることにより、上フレームが下フレームに固定される。
【先行技術文献】
【特許文献】
【０００４】
【特許文献１】特開２０１１−２７４８号公報
【発明の概要】
【発明が解決しようとする課題】
【０００５】
しかしながら、特許文献１の液晶表示装置は、下フレームの開口部の下部において、上フレームの側壁と下フレームの側壁とが対面しており、上フレームの側壁と下フレームの側壁との隙間が小さくなっている。そのため、製造時又はリワーク時において、一旦上フレームと下フレームとを嵌合して固定した後に、上フレームを下フレームから取り外す場合に、上フレームの側壁と下フレームの側壁との間に取り外し工具等を差し込むための十分な隙間がない。したがって、上フレームを下フレームから取り外すことが困難となる可能性がある。
【０００６】
本発明は、表示装置の製造時又はリワーク時において、上フレームを下フレームから容易に取り外すことができる表示装置を提供することを目的とする。
【課題を解決するための手段】
【０００７】
本発明の一態様の表示装置は、画像を表示する表示面を備えた表示パネルと、前記表示パネルの下方に設けられたバックライトと、前記表示パネルの上方において前記表示面を囲む第１の縁部と、前記第１の縁部に設けられ、前記表示面と直交する方向に延びる第１の側板部とを備える第１のフレームと、前記バックライトの透光面を囲む第２の縁部と、前記第２の縁部に設けられ前記第１の側板部の内面と対面する第２の側板部とを備える第２のフレームとを有し、前記第１の側板部は、前記第２の側板部に向かって突出する第１の突出部を有し、前記第２の側板部は、前記第１の突出部と対向する位置に、前記第２の側板部の下方に向かって開放する切り欠き部を有し、前記切り欠き部の内周面の下面と前記第１の突出部の上面とが対向する。
【図面の簡単な説明】
【０００８】
【図１】図１は、実施形態に係る表示装置の斜視図である。
【図２】図２は、実施形態に係る表示装置の分解斜視図である。
【図３】図３は、図１の点線で囲む領域Ａの部分拡大斜視図である。
【図４】図４は、図３に示す第１のフレームと第２のフレームとの固定部分の部分拡大断面図である。
【図５】図５は、図２の点線で囲む領域Ｂを拡大して示す、第１のフレームの部分拡大斜視図である。
【図６】図６は、第１のフレームの第１の突出部が設けられた箇所の部分拡大断面図である。
【図７】図７は、図２の点線で囲む領域Ｃを拡大して示す、第２のフレームの部分拡大斜視図である。
【図８】図８は、第２のフレームの第２の突出部が設けられた箇所の部分拡大断面図である。
【発明を実施するための形態】
【０００９】
本発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成要素は適宜組み合わせることが可能である。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１０】
図１は、実施形態に係る表示装置の斜視図である。図２は、実施形態に係る表示装置の分解斜視図である。本実施形態の表示装置１は、画像を表示する表示面２ａを備えた表示パネル２と、表示パネル２の下方に設けられたバックライトユニット３と、表示パネル２の表示面２ａを保護する第１のフレーム（上フレーム）２２とを有する。
【００１１】
表示パネル２は、液晶パネルである。表示パネル２は、画素基板と、画素基板の表面に垂直な方向に対向して配置された対向基板と、画素基板と対向基板との間に挿設された液晶層とを備えている。画素基板は、画素に対応して配置され、マトリクス状に配置された複数の画素電極と、共通電極とが設けられている。また、画素基板と対向基板とのいずれか一方に、カラーフィルタが設けられている。カラーフィルタは、例えば赤（Ｒ）、緑（Ｇ）、青（Ｂ）の３色に着色されたフィルタが周期的に配列されて、各画素にＲ、Ｇ、Ｂの３色が１組として対応付けられている。
【００１２】
表示パネル２は、画素信号に基づいて液晶層を駆動させて、各画素での光の透過と遮蔽とを切り換えることで、表示面２ａに画像を表示させる。本実施形態の表示パネル２は、例えば、ＩＰＳ（Ｉｎ−Ｐｌａｎｅ  Ｓｗｉｔｃｈｉｎｇ）等の横電界モードの表示パネルであり、液晶層に用いられる液晶も当該表示パネルに適した液晶である。なお、表示パネル２は、横電界モードの表示パネルに限られず、縦電界モードの表示パネルでもよい。液晶層を構成する液晶も、表示パネルに応じて適宜変更してよい。例えば、液晶層に用いられる液晶は、ＴＮ（Ｔｗｉｓｔｅｄ  Ｎｅｍａｔｉｃ：ツイステッドネマティック）、ＶＡ（Ｖｅｒｔｉｃａｌ  Ａｌｉｇｎｍｅｎｔ：垂直配向）、ＥＣＢ（Ｅｌｅｃｔｒｉｃａｌｌｙ  Ｃｏｎｔｒｏｌｌｅｄ  Ｂｉｒｅｆｒｉｎｇｅｎｃｅ：電界制御複屈折）等の各種モードの液晶でもよい。
【００１３】
図２に示すように、第１のフレーム２２は、表示パネル２の上方において表示面２ａを囲む第１の縁部２２ｃと、第１の縁部２２ｃに設けられ、表示面２ａと直交する方向に延びる第１の側板部２２ｄとを備える。第１の縁部２２ｃは、平面視で矩形状であり、第１の側板部２２ｄは、第１の縁部２２ｃの各辺に設けられている。なお、第１の側板部２２ｄは、少なくとも第１の縁部２２ｃの対向する２辺に設けることも可能である。第１のフレーム２２の第１の側板部２２ｄがバックライトユニット３と固定されて、第１の側板部２２ｄの内側に、表示パネル２とバックライトユニット３とが組み込まれる。第１のフレーム２２とバックライトユニット３との固定部分の形状については、後述する。
【００１４】
バックライトユニット３は、表示パネル２に光を照射するバックライト４と、バックライト４を収納するケース３１と、ケース３１を覆って設けられる第２のフレーム（下フレーム）３２を有する。バックライト４は、例えば、光を出力する光源と、光源からの光を表示パネル２に向けて照射させる導光板と、導光板に積層された光学シートを有する。バックライト４は、特に限定されるものではなく、周知のものが用いられる。
【００１５】
ケース３１は、底面と、底面の外周に設けられた側壁とを備え、上方が開口された矩形状の箱型のケースである。ケース３１の底面にバックライト４が固定される。ここで、ケース３１は、バックライト４から照射される光が外部に漏れないように遮光する遮光部材となる。ケース３１は金属製のケースや樹脂製のケースである。
【００１６】
第２のフレーム３２は、ケース３１を覆って設けられ、第２のフレーム３２の上に表示パネル２が積層される。図２に示すように、第２のフレーム３２は、バックライト４の透光面を囲む第２の縁部３２ｃと、第２の縁部３２ｃに設けられバックライト４の透光面と直交する方向に延びる第２の側板部３２ｄとを有する。第２の縁部３２ｃは平面視で矩形状であり、第２の側板部３２ｄは、第２の縁部３２ｃの各辺に設けられている。なお、第２の側板部３２ｄは、少なくとも第２の縁部３２ｃの対向する２辺に設けることも可能である。第２の側板部３２ｄの内側にケース３１が配置されて、第２の縁部３２ｃの下面にケース３１の側壁の上部が接着される。
【００１７】
第２のフレーム３２は、第１のフレーム２２の内側に固定されて、図１に示すように、表示パネル２、及びバックライトユニット３が一体に固定されている。
【００１８】
以下、第１のフレーム２２と第２のフレーム３２とが固定される部分の構造について説明する。図３は、図１の点線で囲む領域Ａの部分拡大斜視図であり、図４は、図３に示す第１のフレームと第２のフレームとの固定部分の部分拡大断面図である。図５は、図２の点線で囲む領域Ｂを拡大して示す、第１のフレームの部分拡大斜視図であり、図６は、図５に示す第１のフレームの第１の突出部が設けられた箇所の部分拡大断面図である。図７は、図２の点線で囲む領域Ｃを拡大して示す、第２のフレームの部分拡大斜視図であり、図８は、図７に示す第２のフレームの第２の突出部が設けられた箇所の部分拡大断面図である。
【００１９】
図４及び図６に示すように、第１のフレーム２２の第１の側板部２２ｄは、第２の側板部３２ｄ側に向かって突出する第１の突出部２２ａを有する。また、第１の側板部２２ｄは開口部２２ｂを有しており、開口部２２ｂの内周面２２ｊは、第１の突出部２２ａの上面２２ｋと連続している。
【００２０】
本実施形態において、第１のフレーム２２は金属製であり、第１の突出部２２ａは、平坦な第１の側板部２２ｄに外面側から押圧を加えて、第１の側板部２２ｄを凹状に変形させることにより形成される。すなわち、図５に示すように、第１の突出部２２ａに対応する箇所において、第１の側板部２２ｄの外面に第１の凹部２２ｅが形成される。第１の突出部２２ａは、第１の側板部２２ｄの内面から第１のフレーム２２の内側に向かって＋Ｘ方向に突出する。第１の凹部２２ｅは、第１の側板部２２ｄの外面から＋Ｘ方向に凹む。図５に示すように、第１の突出部２２ａの上面２２ｋは、第１の側板部２２ｄと略平行な方向に延びる第１の主面２２ｆと、第１の主面２２ｆと第１の側板部２２ｄとを繋いでいる第１の接続面２２ｇとを有する。第１の接続面２２ｇは、第１の主面２２ｆの両側に２つ設けられており、それぞれ第１の主面２２ｆの延出方向と傾いて設けられている。図５に示すように、第１の主面２２ｆ及び第１の接続面２２ｇは、開口部２２ｂの内周面２２ｊと連続している。
【００２１】
また、開口部２２ｂの幅は、第１の突出部２２ａの幅よりも大きい。これにより、平坦な第１の側板部２２ｄに押圧を加えた場合に開口部２２ｂの近傍で第１の側板部２２ｄが変形しやすくなり、第１の突出部２２ａを容易に、かつ精度良く形成することが可能である。
【００２２】
図４及び図８に示すように、第２のフレーム３２の第２の側板部３２ｄは、第１の側板部２２ｄに向かって突出する第２の突出部３２ａを有する。また、図４及び図７に示すように、第２の側板部３２ｄは、第１の突出部２２ａと対向する位置に、切り欠き部３２ｂを有する。切り欠き部３２ｂは、第２の側板部３２ｄの下方に向かって開放されており、第２の突出部３２ａの下面３２ｋは、切り欠き部３２ｂの内周面３２ｊと連続している。
【００２３】
第２の突出部３２ａは、第１の突出部２２ａと同様に、平坦な第２の側板部３２ｄに内面側から押圧を加えて、第２の側板部３２ｄを変形させることにより形成される。したがって、第２の突出部３２ａに対応する箇所において、第２の側板部３２ｄの内面に第２の凹部３２ｅが形成される。第２の突出部３２ａは、第２の側板部３２ｄの外面から第２のフレーム３２の外側に向かって−Ｘ方向に突出する。第２の凹部３２ｅは、第２の側板部３２ｄの内面から−Ｘ方向に凹む。第２の突出部３２ａの下面３２ｋは、第２の側板部３２ｄと略平行な方向に延びる第２の主面３２ｆと、第２の主面３２ｆと第２の側板部３２ｄとを繋いでいる第２の接続面３２ｇとを有する。第２の接続面３２ｇは、第２の主面３２ｆの両側に２つ設けられており、それぞれ第２の主面３２ｆの延出方向と傾いて設けられる。
【００２４】
図７に示すように、切り欠き部３２ｂの内周面３２ｊは、第２の突出部３２ａの下面３２ｋと連続しており、第２の突出部３２ａの第２の主面３２ｆ及び第２の接続面３２ｇは切り欠き部３２ｂの内周面３２ｊの下面と同一面である。また、切り欠き部３２ｂの幅は第２の突出部３２ａの幅よりも大きい。これにより、平坦な第２の側板部３２ｄが変形しやすくなり、第２の突出部３２ａを容易に、かつ精度良く形成することが可能である。
【００２５】
図４及び図８に示すように、ケース３１は、底部３１ａと、底部３１ａの外周に設けられた側壁３１ｂとを備える。側壁３１ｂは、底部３１ａから上方に延在し、第２の側板部３２ｄの内面と対向する。側壁３１ｂは、少なくとも第２の突出部３２ａと重なる部分において平坦な板状であり、突出部又は開口が設けられていない。側壁３１ｂの上端部３１ｃは、第２の突出部３２ａと第２の側板部３２ｄとの境界３２ｈよりも上方に位置する。第２のフレーム３２の第２の縁部３２ｃは、側壁３１ｂの上端部３１ｃと固定される。第２の側板部３２ｄの下面３２ｉは、底部３１ａの上面３１ｄの高さ位置よりも上方に位置する。ここで、第２の突出部３２ａと第２の側板部３２ｄとの境界３２ｈとは、第２の側板部３２ｄと第２の突出部３２ａの上側の傾斜面とが接続する箇所である。
【００２６】
次に、第１のフレーム２２と第２のフレーム３２との嵌合の態様について説明する。まず、図８に示すように、バックライト４を内部に収納したケース３１と、第２のフレーム３２とが接着して固定されたバックライトユニット３を用意する。そして、図４に示すように、第２のフレーム３２の上部に表示パネル２を積層する。次に、第１の側板部２２ｄの内面と、第２の側板部３２ｄの外面とが対面するように、第１のフレーム２２を第２のフレーム３２に嵌め込む。
【００２７】
この際、第１の突出部２２ａの下側の傾斜面と、第２の突出部３２ａの上側の傾斜面とが当接して、互いに逆方向に押圧される。第１の突出部２２ａは第１の側板部２２ｄの方向に弾性変形し、同時に第２の突出部３２ａは第２の側板部３２ｄの方向に弾性変形しながら、第１のフレーム２２が第２のフレーム３２に嵌め込まれる。そして、第１の突出部２２ａが、第２の側板部３２ｄの切り欠き部３２ｂと対向する位置まで嵌め込まれると、弾性変形していた第１の突出部２２ａが元の状態に戻る。同時に、第２の突出部３２ａは、第１の側板部２２ｄの開口部２２ｂに臨んで配置され、弾性変形していた第２の突出部３２ａが元の状態に戻る。図４及び図５に示すように、第２の突出部３２ａの一部が、第１の側板部２２ｄの開口部２２ｂと重なる位置に配置される。これにより、第１の突出部２２ａの第１の主面２２ｆと、第２の突出部３２ａの第２の主面３２ｆとが当接し、第１のフレーム２２と第２のフレーム３２とが嵌合して固定される。以上のように、第１フレーム２２の内側に、表示パネル２とバックライトユニット３とが一体に組み込まれ、図１に示す表示装置１が形成される。なお、本実施形態において、図４に示すように、第１の突出部２２ａの第１の主面２２ｆと、第２の突出部３２ａの第２の主面３２ｆとが当接しているが、これに限定されず、対向する第１の突出部２２ａと第２の突出部３２ａとの間に、クリアランスが設けられていてもよい。
【００２８】
本実施形態の表示装置１において、第１の側板部２２ｄは、第２の側板部３２ｄに向かって突出する第１の突出部２２ａを有する。第１の突出部２２ａの上面２２ｋは、第１の側板部２２ｄと平行な方向に延びる第１の主面２２ｆと、第１の主面２２ｆと第１の側板部２２ｄとを繋ぎ、第１の主面２２ｆの延出方向と傾いて設けられた第１の接続面２２ｇとを有する。同様に、第２の突出部３２ａの下面３２ｋは、第２の側板部３２ｄと平行な方向に延びる第２の主面３２ｆと、第２の主面３２ｆと第２の側板部３２ｄとを繋ぎ、第２の主面３２ｆの延出方向と傾いて設けられた第２の接続面３２ｇとを有する。
【００２９】
これにより、例えば、第２のフレーム３２が薄い金属で形成されている場合であっても、第１の突出部２２ａの第１の接続面２２ｇと、第２の突出部３２ａの第２の接続面３２ｇとが当接される。したがって、第２の突出部３２ａの下面３２ｋと第１の突出部２２ａの上面２２ｋとの当接する面積が大きくなり、第１のフレーム２２と第２のフレーム３２との嵌合強度が確保される。また、第１の側板部２２ｄと第２の側板部３２ｄとの間隔がずれた場合であっても、第１の突出部２２ａの第１の接続面２２ｇと第２の突出部３２ａの第２の接続面３２ｇとが確実に当接するため、第１のフレーム２２と第２のフレーム３２との嵌合強度が確保される。
【００３０】
図４に示すように、表示パネル２は、バックライト４の上方において、第１のフレーム２２と第２のフレーム３２との間に配置される。表示パネル２にはフレキシブル基板８が接続されており、フレキシブル基板８を介して表示パネル２と外部回路（例えばＩＣ等、図４には省略して示す）とが接続される。フレキシブル基板８は、第１の突出部２２ａ及び第２の突出部３２ａが設けられていない箇所において、第１の側板部２２ｄと第２の側板部３２ｄとの間を通って外部に引き出される。このため、第１の側板部２２ｄと第２の側板部３２ｄとは所定の間隔を設けて固定される。本実施形態の表示装置１によれば、第１の突出部２２ａと第２の突出部３２ａとが互いに向かい合う方向に突出して設けられている。よって、第１の側板部２２ｄと第２の側板部３２ｄとの間隔が設けられた場合であっても、第１の突出部２２ａと第２の突出部３２ａとの当接する面積が確保されるため、第１のフレーム２２と第２のフレーム３２との嵌合強度が確保される。
【００３１】
次に、第１のフレーム２２と第２のフレーム３２との取り外しの態様について説明する。表示装置１の製造工程において、第１のフレーム２２と第２のフレーム３２と嵌合した後に、第１のフレーム２２を第２のフレーム３２から取り外す場合がある。この際、図４に示す、第１の突出部２２ａとケース３１の側壁との隙間に取り外し用の工具が挿入される。本実施形態において、第２の側板部３２ｄは、第１の突出部２２ａと対向する位置に切り欠き部３２ｂを有し、取り外し用の工具は、切り欠き部３２ｂに挿入される。そして、取り外し用の工具により、第１の突出部２２ａが、第２の突出部３２ａよりも外側まで弾性変形する。なお、この際、第１の突出部２２ａとともに第１の側板部２２ｄも外側に弾性変形する。第１の突出部２２ａを弾性変形させた状態で、第１のフレーム２２が上方に移動され、第２のフレーム３２から取り外される。第１のフレーム２２が第２のフレーム３２から取り外された後、第１の突出部２２ａは元の状態に戻る。
【００３２】
本実施形態の表示装置１において、第２の側板部３２ｄは、第１の突出部２２ａと対向する位置に切り欠き部３２ｂを有し、切り欠き部３２ｂは、第２の側板部３２ｄの下方に向かって解放されている。このため、第１の突出部２２ａとケース３１との間隔を大きくすることができる。よって、第１のフレーム２２を第２のフレーム３２から取り外す場合に、取り外し用の工具を挿入するスペースが確保され、容易に第１の突出部２２ａが変形される。このため、第１のフレーム２２を第２のフレーム３２から容易に取り外すことができる。また、本実施形態によれば、切り欠き部３２ｂが設けられていない場合に比べ、取り外し用の工具を挿入する際に、第１の突出部２２ａ以外の箇所（ケース３１、第２の側板部３２ｄ等）に応力が加えられることを抑制できる。このため、第１のフレーム２２の取り外しの際に、第１の突出部２２ａ以外の箇所の変形や、傷が付着することが抑制される。
【００３３】
図１に示すように、第１のフレーム２２は、平面視で対向する２つの長辺部と、対向する２つの短辺部とを有する矩形状であり、第１の突出部２２ａ及び第２の突出部３２ａは、長辺部の少なくとも１方に設けられていることが好ましい。第１のフレーム２２の短辺部に比べて長辺部において変形が生じやすいため、長辺部に第１の突出部２２ａ及び第２の突出部３２ａを設けることにより、第１のフレーム２２と第２のフレーム３２との嵌合強度が確保される。また、本実施形態において、図１の点線で囲む領域Ａについて説明したが、第１の突出部２２ａ及び第２の突出部３２ａは、適宜、複数の個所に設けてもよい。
【００３４】
なお、本実施形態の表示装置１は、第１の突出部２２ａ及び第２の突出部３２ａの両方を設けた場合について説明したが、これに限定されない。例えば、第１の側板部２２ｄに第１の突出部２２ａが設けられ、第２の側板部３２ｄは、第２の突出部３２ａを設けず、第１の突出部２２ａと対向する位置に切り欠き部３２ｂが形成されていてもよい。この場合、切り欠き部３２ｂの上面と第１の突出部２２ａの上面２２ｋとが当接して第１のフレーム２２と第２のフレーム３２とが嵌合して固定される。このような態様であっても、第１の突出部２２ａの上面２２ｋは、第１の主面２２ｆと、第１の主面２２ｆから傾いて設けられた第１の接続面２２ｇとを有するため、第１の突出部２２ａと切り欠き部３２ｂとの嵌合強度が確保される。また、第１のフレーム２２を取り外す際においても、切り欠き部３２ｂが第２の側板部３２ｄの下方側に開放しているため、第１の突出部２２ａの下側の傾斜面とケース３１との間のスペースが確保させる。よって、取り外し工具が切り欠き部３２ｂのスペースに挿入され、容易に第１の突出部２２ａが変形される。
【００３５】
以上のように、本実施形態の表示装置１は、画像を表示する表示面２ａを備えた表示パネル２と、表示パネル２の下方に設けられたバックライト４と、表示パネル２の上方において表示面２ａを囲む第１の縁部２２ｃと、第１の縁部２２ｃに設けられ、表示面２ａと直交する方向に延びる第１の側板部２２ｄとを備える第１のフレーム２２と、バックライト４の透光面を囲む第２の縁部３２ｃと、第２の縁部３２ｃに設けられ第１の側板部２２ｄの内面と対面する第２の側板部３２ｄとを備える第２のフレーム３２とを有する。第１の側板部２２ｄは、第２の側板部３２ｄに向かって突出する第１の突出部２２ａを有する。また、第２の側板部３２ｄは、第１の突出部２２ａと対向する位置に、第２の側板部３２ｄの下方に向かって開放する切り欠き部３２ｂを有する。切り欠き部３２ｂの内周面３２ｊの下面と第１の突出部２２ａの上面２２ｋとが対向する。
【００３６】
本実施形態の表示装置１によれば、第２の側板部３２ｄが切り欠き部３２ｂを有するので、第１の突出部２２ａとケース３１との間隔を大きくすることができる。よって、第１のフレーム２２を第２のフレーム３２から取り外す場合に、取り外し用の工具を挿入するスペースが確保され、容易に第１の突出部２２ａが変形される。したがって、第１のフレーム２２を第２のフレーム３２から容易に取り外すことができる。
【００３７】
また、本実施形態の表示装置１において、第１の突出部２２ａの上面２２ｋは、第１の側板部２２ｄと略平行な方向に延びる第１の主面２２ｆと、第１の主面２２ｆと第１の側板部２２ｄとを繋いでいる第１の接続面２２ｇとを有する。これにより、例えば、第２のフレーム３２が薄い金属で形成されている場合であっても、第１の突出部２２ａの第１の接続面２２ｇと、切り欠き部３２ｂの下面とが当接される。したがって、第１の突出部２２ａと切り欠き部３２ｂの下面とが当接する面積が大きくなり、第１のフレーム２２と第２のフレーム３２との嵌合強度が確保される。
【００３８】
本実施形態の表示装置１において、第２の側板部３２ｄは、第１の側板部２２ｄに向かって突出する第２の突出部３２ａを備え、第２の突出部３２ａの下面３２ｋは切り欠き部３２ｂの内周面３２ｊと連続している。これによれば、第１の突出部２２ａと第２の突出部３２ａとが当接し、第１のフレーム２２と第２のフレーム３２との嵌合強度が確保される。また、第１の突出部２２ａとケース３１との間隔をより大きくすることができる。よって、第１のフレーム２２を第２のフレーム３２から取り外す場合に、取り外し用の工具を挿入するスペースが確保されるため、第１のフレーム２２を第２のフレーム３２から容易に取り外すことができる。
【００３９】
第２の突出部３２ａの下面３２ｋは、第２の側板部３２ｄと略平行な方向に延びる第２の主面３２ｆと、第２の主面３２ｆと第２の側板部３２ｄとを繋いでいる第２の接続面３２ｇとを有する。これによれば、第１の突出部２２ａの第１の接続面２２ｇと第２の突出部３２ａの第２の接続面３２ｇとが確実に当接するため、第１のフレーム２２と第２のフレーム３２との嵌合強度が確保される。
【００４０】
本実施形態において、切り欠き部３２ｂの幅は、第２の突出部３２ａの幅よりも大きく形成されている。これにより、第２の突出部３２ａを形成する際に、切り欠き部３２ｂの近傍の第２の側板部３２ｄが変形しやすくなり、第２の突出部３２ａを容易に形成することができる。
【００４１】
本実施形態において、第１の側板部２２ｄに開口部２２ｂが形成されており、開口部２２ｂの内周面２２ｊは、第１の突出部２２ａの上面２２ｋと連続している。これによれば、第２の突出部３２ａが、開口部２２ｂと一部重なる位置で第１の突出部２２ａと嵌合することが可能であり、第１のフレーム２２と第２のフレーム３２との嵌合強度が向上する。
【００４２】
本実施形態において、開口部２２ｂの幅は、第１の突出部２２ａの幅よりも大きく形成されている。これにより、第１の突出部２２ａを形成する際に、開口部２２ｂの近傍の第１の側板部２２ｄが変形しやすくなり、第１の突出部２２ａを容易に形成することができる。
【００４３】
本実施形態において、第１のフレーム２２は、平面視で対向する２つの長辺部と、対向する２つの短辺部とを有する矩形状であり、第１の突出部２２ａは、長辺部の少なくとも１方に設けられている。第１のフレーム２２の短辺部に比べて長辺部において変形が生じやすいため、長辺部に第１の突出部２２ａ及び第２の突出部３２ａを設けることにより、第１のフレーム２２と第２のフレーム３２との嵌合強度が確保される。
【００４４】
以上、本発明の好適な実施の形態を説明したが、本発明はこのような実施の形態に限定されるものではない。実施の形態で開示された内容はあくまで一例にすぎず、本発明の趣旨を逸脱しない範囲で種々の変更が可能である。本発明の趣旨を逸脱しない範囲で行われた適宜の変更についても、当然に本発明の技術的範囲に属する。
【００４５】
例えば、本実施形態において、表示装置１の表示部として表示パネル２を示したが、これに限定されず、例えば、有機エレクトロルミネッセンス（Ｏｒｇａｎｉｃ  Ｅｌｅｃｔｒｏ−Ｌｕｍｉｎｅｓｃｅｎｃｅ：ＯＥＬ）ディスプレイ、ＭＥＭＳ（Ｍｉｃｒｏ  Ｅｌｅｃｔｒｏ  Ｍｅｃｈａｎｉｃａｌ  Ｓｙｓｔｅｍ）などがある。
【符号の説明】
【００４６】
１  表示装置
２  表示パネル
２ａ  表示面
３  バックライトユニット
４  バックライト
８  フレキシブル基板
２２  第１のフレーム
２２ａ  第１の突出部
２２ｂ  開口部
２２ｃ  第１の縁部
２２ｄ  第１の側板部
２２ｅ  第１の凹部
２２ｆ  第１の主面
２２ｇ  第１の接続面
２２ｊ  内周面
２２ｋ  第１の突出部の上面
３１  ケース
３１ａ  底部
３１ｂ  側壁
３１ｃ  上端部
３１ｄ  上面
３２  第２のフレーム
３２ａ  第２の突出部
３２ｂ  切り欠き部
３２ｃ  第２の縁部
３２ｄ  第２の側板部
３２ｅ  第２の凹部
３２ｆ  第２の主面
３２ｇ  第２の接続面
３２ｈ  境界
３２ｉ  第２の側板部の下面
３２ｊ  内周面
３２ｋ  第２の突出部の下面
【図１】
2016105167.tif 000003
【図２】
2016105167.tif 000004
【図３】
2016105167.tif 000005
【図４】
2016105167.tif 000006
【図５】
2016105167.tif 000007
【図６】
2016105167.tif 000008
【図７】
2016105167.tif 000009
【図８】
2016105167.tif 000010